(57)【要約】【課題】歯科診療ユニットを移動した際の電気や配管等の接続の手間を省く。【解決手段】電気、圧縮空気、給水、排水、滅菌ガス、バキューム、データ通信の１ないし複数の接続口4を移動キャビネット2に設け、接続口4と供給元5との相互間を、保護チェーン7を介してケーブルやホース等の連結部材にて延伸自在に連結する。【選択図】図１
2008161540.tif 000002
【特許請求の範囲】
【請求項１】
移動キャビネットが、歯科診療に必要な種々の診療設備を搭載可能でかつ任意の位置に
移動する移動手段と、歯科診療設備の電気や配管等を接続する接続手段とを備え、  前記移動キャビネットに備えた接続手段と供給元との相互間を連結したまま移動可能な連結手段を設けて歯科診療設備を移動することにより多目的空間を形成することを特徴とするフレキシブル移動キャビネット。
【請求項２】
前記移動キャビネットにおいて、１ないし複数の前記移動キャビネットそれぞれに各種診療設備の電源、配管やデータ通信等の１ないし複数の接続口を設け、該接続口と供給元との相互間を、保護チェーンを介し連結部材にて延伸自在に連結し、連結したまま移動可能に構成したことを特徴とする請求項１記載のフレキシブル移動キャビネット。
【請求項３】
前記移動キャビネットが放射線防護壁から成ると共に放射線撮影設備の搭載が可能、かつ任意の位置に移動する移動手段と、該放射線撮影設備の接続手段と、該放射線撮影設備を診療後に収納する収納手段とを備えて、放射線撮影設備を移動することにより多目的空間を形成することを特徴とする請求項１記載のフレキシブル移動キャビネット。
【請求項４】
前記移動キャビネットに備えた接続手段と供給元との相互間を連結したまま移動可能な連結手段を設けたことを特徴とする請求項３記載のフレキシブル移動キャビネット。
【請求項５】
前記連結手段は、移動キャビネットに放射線撮影設備の１ないし複数の接続口を設け、該接続口と供給元との間を、保護チェーンを介し連結部材にて延伸自在に連結することを特徴とする請求項３または４記載のフレキシブル移動キャビネット。
【請求項６】
前記移動キャビネットに、収納空間あるいは診療空間の滅菌、殺菌または消毒をする１ないし複数の除菌手段を搭載したことを特徴とする請求項１乃至５のいずれかに記載のフレキシブル移動キャビネット。
【請求項７】
前記歯科診療設備または/及び移動キャビネットを任意の位置に固定するために床面との間に固定手段を有することを特徴とする請求項１乃至６のいずれかに記載のフレキシブル移動キャビネット。
【請求項８】
前記固定手段が、歯科診療ユニットまたは移動キャビネット下部に上下動可能に装着された電磁石と、床面に固定された吸着プレートから成り、通電にて電磁石を吸着プレートに吸着させることにより位置を固定する電磁石方式のベースロック装置であることを特徴とする請求項７記載のフレキシブル移動キャビネット。
【請求項９】
前記固定手段が、歯科診療ユニットまたは移動キャビネット下部に装着されたラッチ構造と、床面に設置され上下動可能なアンカを有するソレノイドとから成り、通電にて前記ソレノイドのアンカを昇降させ、上昇したアンカをクラッチにて挟持することにより位置を固定するアンカ・ラッチ方式のベースロック装置であることを特徴とする請求項７記載のフレキシブル移動キャビネット。
【発明の詳細な説明】
【技術分野】
【０００１】
本発明は、歯科診療ユニットや歯科診療に必要な各種診療設備を任意の位置に移動し、収納することにより多目的空間を形成するフレキシブル移動キャビネットに関する。
【背景技術】
【０００２】
従来の歯科診療ユニットは殆どが固定式のものであったが、本願発明者は先願にて特許文献１に示される技術を提案したところである。またその他に特許文献２に示される技術が公知である。
【０００３】
特許文献１は、移動キャビネットを介して歯科診療ユニットを任意の位置に移動する移動手段と、移動した位置で歯科診療ユニットの電気や配管等を接続する接続手段と、該歯科診療ユニットを診療後に収納する収納手段とを有し、歯科診療ユニットを移動することにより多目的空間を形成することを特徴とするものである。そして歯科診療ユニットを任意の位置に移動した際に、移動先にて電気や配管等を接続する接続手段として床面あるいは壁面の複数箇所に接続口を設ける構成である。
特許文献２は、展延可能な仕切部材にて診療台を包囲する空間を形成し、その空間内の床面に殺菌送風装置を載置して殺菌済みの空気を送風するものである。
【特許文献１】特願２００６−２７５４１１号
【特許文献２】実開平６−５９５４６号
【発明の開示】
【発明が解決しようとする課題】
【０００４】
解決しようとする問題点は、移動キャビネットにて移動する歯科診療ユニットを移動先で電気や配管等を接続する接続口を床面や壁面に設けなければならないことと、ユニット以外の歯科診療に必要な各種診療設備をキャビネット内で使用する場合に移動先で電気や配管等を接続しなくてはならないために使用時に手間がかかる点である。
【課題を解決するための手段】
【０００５】
本発明は、歯科診療ユニットや歯科診療で必要な各種診療設備の電気や配管等を接続する接続口、あるいは放射線撮影装置の接続口を移動キャビネットに設け、この接続口と供給元との間を、保護チェーンを介しケーブルやホース等の連結部材にて延伸自在に連結する連結手段を設けたことを特徴とする。
また、収納空間あるいは診療空間の滅菌、殺菌または消毒をする１ないし複数の除菌手段を移動キャビネットに搭載したことを特徴とする。
【発明の効果】
【０００６】
本発明は、移動キャビネットに歯科診療ユニットや放射線撮影装置の接続口を設け、接続口と供給元との間を、保護チェーンを介しケーブルやホース等の連結部材にて延伸自在に連結することにより、移動先で接続する手間が省けると共に、床面や壁面の複数箇所に接続口を設ける必要がなくなる。
【０００７】
また移動キャビネットに滅菌、殺菌または消毒の１ないし複数の除菌手段を搭載することにより、移動キャビネットにて形成した診療室や放射線防護室内にそのつど除菌手段を配置する手間が省けると共に、常に除菌された清浄な空間内にて診療することが可能になる。また診療後の収納時に、滅菌、殺菌または消毒などの装置を作動させることで、診療設備をまるごと滅菌、殺菌または消毒することもできる。更にこの構成の移動キャビネットは移動することにより多目的空間を形成することができるという利点がある。
【発明を実施するための最良の形態】
【０００８】
移動キャビネットを移動する度に移動先で歯科診療ユニットや放射線撮影装置を接続する手間が省けるようにする目的を、移動キャビネットに接続口を設け、この接続口と供給元との相互間を、保護チェーンを介しケーブルやホース等の連結部材にて延伸自在に連結することで床面や壁面に接続口を設けずに接続することを実現した。
【実施例１】
【０００９】
図1から図6は,本発明の実施例を示し、図1(a)は移動キャビネットの上面図、(b)は側面図、図2(a)(b)は接続機器と接続口を示す図、図3 (a)は事務エリア、衛生士エリア、診療エリアにおける接続口を示す上面図、(b)は収納キャビネットを一方に寄せた状態を示す上面図、図4 (a)はレントゲン室、実習室,技工室における接続口を示す上面図、(b)はレントゲン室の収納状態を示す図、図5 (a)は手術室における接続口を示す図、(b)は手術室の収納状態を示す図である。
【００１０】
本実施例のフレキシブル移動キャビネットは、歯科診療のために歯科診療ユニット1を移動キャビネット2にて任意の位置に移動し、診療時には収納部から引き出し、診療後は収納部に収納して移動することにより多目的空間を形成することを可能に構成したものである。
【００１１】
本実施例では、図1 (b)に示すようにキャスタ3等の移動手段にて床面を移動可能な3台の移動キャビネット2を例にして説明する。移動キャビネット2それぞれには接続手段として連結部材であるケーブルやホースの接続口4が設けられており、この接続口4と供給元5との間は連結手段として保護チェーン7を介し連結部材にて延伸自在に連結されている。
【００１２】
また前記接続口4は、図2に示すように例えば滅菌装置8、バキューム装置9、パソコン10、シンク11、あるいは図示しない空調設備、滅菌ガス、レントゲン撮影装置、ＣＴ撮影装置（ＭＲＩ撮影）などの各種機器に対応する電源E、ネットワークN、圧縮空気A、給水W、排水D、バキュームV、信号ラインSなど、1ないし複数の接続口4がジョイントボックス12内に設けられている。なお、ネットワークNにはLAN、USB、電話回線などの信号ラインが、また信号ラインSにはセントラルバキューム等を作動させるための制御または多目的に使用することも可能なラインもある。また図2(b)に示すようにジョイントボックス12内には同一接続口の複数を設けてもよい。上記において移動キャビネット2にて形成する空間をレントゲン室として使用する場合は、当該移動キャビネット2の内壁を放射線防護壁13（図4）にて構成する必要がある。
【００１３】
次に、上記構成における各機器の接続について具体例を説明する。
図3は移動キャビネット2を移動することにより事務エリア、衛生士エリア、診療エリアを形成した例である。事務エリアにおいてはレセプトコンピュータ14、カルテ棚15、作業用椅子16などが配置され、レセプトコンピュータ14はジョイントボックス12の接続口4に接続されている。衛生士エリアにおいては作業用椅子16、高圧蒸気滅菌器17、シンク18、自動洗浄注油器19などが配置され、高圧蒸気滅菌器17、シンク18、自動洗浄注油器19が接続口4に接続されている。診療エリアにおいては歯科用ユニット1、歯科用レーザ装置20、口腔内カメラ21、超音波歯石除去装置22、光重合器23、ドクターチェア24などが配置されており、ドクターチェア24を除くすべてが接続口に接続されている。
【００１４】
図4(a)はレントゲン室エリア、実習室エリア、技工室エリアを形成した例である。レントゲン室エリアは放射線防護壁13から成る2台の移動キャビネット2相互間を開閉式放射線防護パーテーション25にて覆っており、室内にはパノラマレントゲン装置26が配置され、接続口4に接続されている。実習室エリアにはドクターチェア24や実習机27が配置され、実習机27が接続口4に接続されている。技工室エリアには作業用椅子16、バキューム装置9、技工用エンジン28などが配置されており、バキューム装置9や技工用エンジン28が接続口4に接続されている。なお診療終了時には(b)図に示すようにパノラマレントゲン装置26は接続口4に接続したまま折り畳んで移動キャビネット2内に収納することができるので、レントゲン室の一面を形成したキャビネット2の放射線防護パーテーション25も折り畳んでそれぞれの移動キャビネットを一方に寄せることにより多目的空間を形成することができる。
【００１５】
図5(a)は手術室エリアを移動キャビネット2にて形成した例である。そして手術室は2台の移動キャビネット2の開閉式パーテーション29にて覆われ、室内には歯科用ユニット1、ドクターチェア24、オゾン滅菌装置30、エアバリアシステム（空気清浄機）31などが配置されており、ドクターチェア24以外のすべてが接続口4に接続されている。なお開閉式パーテーション29にはドア32が組み込まれており、手術室への出入り口となっている。
【００１６】
なお(b)図に示すように歯科用ユニット1は一方の移動キャビネット2（左側）の接続口4に接続したまま収納し、他方の移動キャビネット2（右側）にはオゾン滅菌装置30、エアバリアシステム31を接続口4に接続したまま収納して回転軸33を中心にパーテーション29を回転し、ドア32を回転して閉止する。これにより移動キャビネット2を一方に寄せて多目的空間を形成することが可能となる。
なお開閉式パーテーション29は伸縮自在に構成した多段式パーテーションにして移動キャビネットの側壁内に収納してもよい。また、接続する機器は上記例に限らず上記以外の各種機器を接続することが可能である。例えば、事務エリアではカルテコンピュータやプリンタなどのPC端末を接続してもよい。また衛生エリアでは超音波洗浄器、印象材練和器等を、診療エリアでは根管長測定器、歯動揺度測定器、下顎運動解析装置、咬合音診断装置、血圧監視装置等の、各種測定、診断、計測装置を、レントゲン室エリアではデンタルレントゲン装置、歯科用CT装置、MRI装置やフィルム現像装置や画像処理装置、表示装置を接続してもよい。
【実施例２】
【００１７】
図6および図7は本発明の実施２を示し、図6(a)は電磁石方式ベースロック装置の正面図、(b)は同作動説明図、図7(a)はアンカ・ラッチ方式ベースロック装置の正面図、(b)は同作動説明図である。
本発明では、歯科診療ユニット1や移動キャビネット2は移動時以外は床面に固定する必要があるので、本実施例ではこの固定手段について説明する。
【００１８】
この固定手段の例としては図6に示す電磁石式ベースロック装置を用いることができる。この装置は、歯科診療ユニット1や移動キャビネット２の下部に固定するベース41中央に電磁石42が設けられており、この電磁石42は両側方のベース41面に立設された固定ピン43に外嵌するばね44の付勢にて固定金具45を介して常時上方に持ち上げられている。一方、床面58には鉄板から成る吸着プレート46がねじ47にて固定されている。この構成の電磁石方式ベースロック装置は、通電することにより電磁石42に磁力が発生し、ばね44の付勢に抗して下降して吸着プレート46に吸着し、その位置が固定される。また通電を停止することにより電磁石42は磁力を失い、吸着が開放されて上昇し、固定が開放されて移動が可能になる。なお符号48は電源コードを示す。
【００１９】
固定手段の他の例としてアンカ・ラッチ方式のベースロック装置を用いることができる。この装置は、歯科診療ユニット1や移動キャビネット2の下部に固定するベース49上面にラッチ構造50が設けられており、このラッチ構造50には左右一対のラッチ51が設けられ、ばね52の付勢にて常時は中央に前進させられている。またラッチ51にはワイヤ53が取り付けられており,ワイヤ53を両側方に引くことによりラッチ51を後退させることができる。一方、床面58にはアンカ54を昇降させるソレノイド55がねじ56にて固定されている。この構成のアンカ・ラッチ方式ベースロック装置は、ソレノイド55に通電することによりアンカ54が上昇し、上昇したアンカ54はその上端に形成された溝57にラッチ51がばね52の付勢にて自動的に落ち込んで係合されることによりアンカ54が挟持され、その位置が固定される。また通電停止と共にワイヤ53を両側方に引くことによりラッチ5１が溝57から外れてアンカ54が下降し固定が開放されて移動が可能になる。なお符号59は電源コードを示す。
【００２０】
また、固定手段は前記例に限らず市販のストッパ付キャスタ、ハンマーロック、あるいは床面に設けた穴にピンを差し込む方式等を採用してもよい。
【００２１】
以上により、本発明のフレキシブル移動キャビネットは、移動キャビネット2に接続口4を設け、接続口4と供給元5との相互間を、保護チェーン7を介して連結部材であるケーブルやホース6を常に接続したまま延伸自在に連結することにより任意の位置に移動する度に接続する必要がなく、直ちに診療を開始することができる。従って接続の手間が省ける。更に移動キャビネット2に除菌手段を搭載すれば移動キャビネット2にて形成する空間あるいは収納空間を除菌して清浄を保つことができる。
【００２２】
なお本発明では接続手段として保護チェーンを用いたが、保護チェーンに限らずケーブルや配管等を巻き取る方式にしてもよい。
【図面の簡単な説明】
【００２３】
【図１】(a)は移動キャビネットの上面図、(b)は側面図である。  （実施例１）
【図２】(a)(b)は接続機器と接続口を示す図である。  （実施例１）
【図３】(a)は事務エリア、衛生士エリア、診療エリアにおける接続口を示す上面図、(b)は収納キャビネットを一方に寄せた状態を示す上面図である。  （実施例１）
【図４】(a)はレントゲン室、実習室,技工室における接続口を示す上面図、(b)はレントゲン室の収納状態を示す図である。  （実施例１）
【図５】(a)は手術室における接続口を示す図、(b)図は手術室の収納状態を示す図である。  （実施例１）
【図６】(a)は電磁石方式ベースロック装置の正面図、(b)は同作動説明図である。  （実施例２）
【図７】(a)はアンカ・ラッチ方式ベースロック装置の正面図、(b)は同作動説明図である。  （実施例２）
【符号の説明】
【００２４】
1  歯科診療ユニット
2  移動キャビネット
3  キャスタ
4  接続口
5  供給元
6  ケーブルやホース（連結部材）
7  保護チェーン
8  滅菌装置
9  バキューム装置
10  パソコン
11,18  シンク
12  ジョイントボックス
13  放射線防護壁
14  レセプトコンピュータ
15  カルテ棚
16  作業用椅子
17  高圧蒸気滅菌器
19  自動洗浄給油機
20  歯科用レーザ装置
21  口腔内カメラ
22  超音波歯石除去装置
23  光重合器
24  ドクターチェア
25  放射線防護パーテーション
26  パノラマレントゲン装置
27  実習机
28  技工用エンジン
29  開閉式パーテーション
30  オゾン滅菌装置
31  エアバリアシステム
32  ドア
33  回転軸
41,49  ベース
42  電磁石
43  固定ピン
44,52  ばね
45  固定金具
46  吸着プレート
47,56  ねじ
48,59  電源コード
50  ラッチ構造
51  ラッチ
53  ワイヤ
54  アンカ
55  ソレノイド
57  溝 
58  床面
【図１】
2008161540.tif 000003
【図２】
2008161540.tif 000004
【図３】
2008161540.tif 000005
【図４】
2008161540.tif 000006
【図５】
2008161540.tif 000007
【図６】
2008161540.tif 000008
【図７】
2008161540.tif 000009